(57)【要約】  本発明は、閉鎖機構を受容するためのケーシングを有するドアクローザに関する。この場合、ケーシングに螺合フランジが備え付けられていて、該螺合フランジに、固定エレメントを貫通させるための複数の固定孔が設けられている。ユニバーサルに使用できるドアクローザを提供するために、本発明により、各螺合フランジに３つの固定孔が配置されている。
2007527475.tif 000002
【特許請求の範囲】
【請求項１】
閉鎖機構を受容するためのケーシングを有するドアクローザであって、ケーシングに螺合フランジが備え付けられており、該螺合フランジに、固定エレメントを貫通させるための複数の固定孔が設けられている形式のものにおいて、
各螺合フランジ（８，９）に３つの固定孔（１０）が配置されていることを特徴とするドアクローザ。
【請求項２】
螺合フランジ（８，９）が、ケーシング（１）の端面側に配置されている、請求項１記載のドアクローザ。
【請求項３】
前記固定孔（１０）の間隔が、互いに等しくなっている、請求項１または２記載のドアクローザ。
【請求項４】
前記固定孔（１０）が、互いに一直線上に配置されている、請求項１から３までのいずれか１項記載のドアクローザ。
【請求項５】
中央の固定孔（１０）が、ケーシング（１）の長手方向中心軸線（１１）上に設けられている、請求項１から４までのいずれか１項記載のドアクローザ。
【請求項６】
２つの外側の固定孔（１０）が、ケーシング（１）の外側の長手方向縁部の領域に設けられている、請求項１から５までのいずれか１項記載のドアクローザ。
【発明の詳細な説明】
【技術分野】
【０００１】
本発明は、閉鎖機構を受容するためのケーシングを備えたドアクローザであって、ケーシングに螺合フランジが備え付けられていて、該螺合フランジに、固定エレメントが貫通するための複数の固定孔が設けられている形式のものに関する。
【０００２】
冒頭で述べた形式のドアクローザは、ドイツ連邦共和国特許出願公開第１９８３４８８９号明細書に記載されている。このようなドアクローザは、図５および図６に従来技術として図示されている。
【０００３】
このようなドアクローザは、ケーシング１０１を有していて、例えばドア１０２またはこれと類似のものの上側の領域に取り付けられる。ドアクローザは、レバー１０５を介してドアクローザに結合されているガイドレール１０６と協働するか、または一般に周知のパラレルアームを有している。ドアクローザをドア１０２またはこれと類似のものに固定するために、ドアクローザのケーシング１０１に螺合フランジ１０８，１０９が配置されている。これらの螺合フランジ１０８，１０９はそれぞれ、固定ねじ１０３を貫通させるための２つの固定孔１１０を有している。各螺合フランジ１０８，１０９に設けられたこれらの固定孔１１０は、ケーシング１０１の中心を通って延びている長手方向中心平面１１１の両側に配置されている。
【０００４】
図示の従来技術では、２つの固定孔１１０は、上側の固定孔１１０が、ドア１０２またはこれに類似したものの上縁部の約２８ｍｍだけ下方に位置しており、下側の固定孔１１０が、上側の固定孔１１０の約１９ｍｍだけ下方に位置するように配置されている（図５参照）。一般に、ドアにおける固定点のこのような配置は孔グループと呼称される。このような孔グループは、フレームドアであろうとフラッシュドアであろうといずれにせよ、制限された領域内でドアに設けられている。フラッシュドアの場合、前記制限された領域内で、ドアはドアクローザを螺合するために特に補強されている。この制限された領域外でドアクローザを効果的で持続的に固定することは不可能である。何故ならば、そのためには、製品の価格を全体的に引き上げることになる取付プレートを使用する必要があるからである。このような孔グループを得るために、従来ではドアクローザをガイドレール１０６に結合しているレバー１０５に屈曲部１１２が備え付けられていた。しかし、このような屈曲したレバー１０５によって、ドア全ての状態および取付形式のための１つのドアクローザ構造だけをユニバーサル（万能）に使用することは不可能である。
【０００５】
従って、本発明の課題は、ドアクローザを改良して、ユニバーサルに使用できる、つまり取付プレートのような付加的な構成部分を使わずに、全ての取付形式に使用できるドアクローザを提供することである。
【０００６】
この課題は、冒頭で述べた形式のドアクローザの場合には、各螺合フランジに３つの固定孔が配置されていることによって解決される。
【０００７】
本発明による構成によって、ユニバーサルに使用可能であってかつ屈曲したレバーの使用を省くことのできるドアクローザが提供される。すなわち、ドアクローザをドアまたはこれと類似のものに螺合するために、常に下側の２つの孔しか使用されない場合には、ドアクローザは上方に移動せしめられ、その結果、ドアクローザはドアまたはこれと類似のものの上縁部と同一平面上で揃い、ひいては屈曲したレバーの使用を必要としない。さらなる利点は、本発明によるドアクローザは、フレーム間に嵌込みガラスが設けられている異形成形フレームドアの場合でも、ガラスに突き出さない点にある。なぜならば、ドアクローザをこのように取り付けないと、異形成形フレームドアの外観を台無しにしてしまう恐れがあるからである。
【０００８】
従属請求項には、本発明が対象とする別の実施態様が記載されている。
【０００９】
有利な構成によれば、螺合フランジはケーシングの端面側に配置されている。これによって、確実な固定と良好な力伝達とが可能になる。
【００１０】
有利には、複数の固定孔の間隔は互いに等しくなっている。有利には、その間隔は約１９ｍｍである。さらに有利な構成によれば、これらの固定孔は互いに一直線上に並んでいる。固定孔のこのような配置によって、孔グループが形成され、この孔グループによって、ドアクローザのユニバーサルな取付けが可能となる。
【００１１】
有利には、中央の固定孔はケーシングの長手中心軸線上に設けられている。このような構成に基づき、従来技術により公知の、上側の固定ねじの、ドアまたはこれと類似のものの上縁部からの間隔を、例えば約２８ｍｍに維持することができ、それと同時にドアクローザをドアまたはこれと類似のものの上縁部と同一平面上に配置することができる。このことは、特に、しゃくり付き扉およびガラスパネルを備えたパイプフレームドア（Rohrrahmentuer）の場合にも重要である。特に、例えば軽金属から成るパイプフレームドアの場合には、専門家がフレームをできるだけ小さく構成しようと努めている。
【００１２】
有利な構成によれば、２つの外側の固定孔は、ケーシングの外側の長手方向縁部の領域に設けられている。
【００１３】
本発明によるドアクローザのその他の特徴および利点は、以下の有利な実施例に記載されている。
【００１４】
図１は、しゃくり付き木製ドアにおける本発明によるドアクローザの平面図、
図２は、図１に示した本発明によるドアクローザの側面図、
図３は、フレームドアにおけるドアクローザの平面図、
図４は、図３の側面図、
図５は、従来技術によるドアクローザの平面図、
図６は、従来技術によるドアクローザの側面図である。
【００１５】
図１および図２には、本発明によるドアクローザの平面図および側面図が図示されている。
【００１６】
ドアクローザはケーシング１を有していて、このケーシング１は、例えばしゃくりを備えた木製ドアとして形成されているドア２またはこれと類似のものに、固定ねじ３を介して固定されている。ドアクローザのケーシング１から軸４が延びていて、この軸４にレバー５が取り付けられていて、このレバー５の他方の端部が、ガイドレール６に係合している。ガイドレール６は壁７またはこれに類似のものに固定されている。
【００１７】
ケーシング１の両方の端面側にそれぞれ螺合フランジ８，９が備え付けられていて、これらの螺合フランジ８，９には３つの固定孔１０が設けられている。これらの固定孔１０は固定ねじ３を受容するために使われる。
【００１８】
各螺合フランジ８，９に設けられているこれらの固定孔１０は、互いに等間隔に、例えば約１９ｍｍ間隔で離間されている。さらにこれらの固定孔１０は互いに一直線上に並んでいる。
【００１９】
これらの固定孔１０は、中央の固定孔１０が、ケーシング１の長手方向中心平面１１上に位置するように配置されている。
【００２０】
ケーシング１を図１および図２に基づくドア２またはこれと類似のものに固定する際、ドアクローザ（ケーシング１）の各側に設けられている螺合フランジ８，９では、中央および下側の固定孔１０しか使用されない。なぜならば、上側の固定孔１０は、ドア２に存在するしゃくりによって、十分な保持を提供しないからである。これによって、従来技術と同じ固定形式の場合、つまり上側の固定ねじ３が、依然としてドア２またはこれと類似のものの上縁部の約２８ｍｍ下方に配置されている場合、ドアクローザのケーシング１は、固定孔１０の前記間隔は約１９ｍｍのままで、約９，５ｍｍだけ上方に移動せしめられ、ひいてはドアクローザのケーシング１はドア２またはこれと類似のものの上端部と同一平面上を成すようになる。このような構成に基づいて、例えば、従来技術において不可欠であった屈曲したレバーは不要となる。このことは、ドアクローザのより良い外観に役立つ。
【００２１】
図３および図４では、ドアクローザのケーシング１はフレーム１２を有するドア２に固定されている。このようなフレームドアはしゃくり付きまたはしゃくりなしで構成されていてよく、フレーム１２内でガラスパネル１３を支持している。従って、ドアクローザを固定することのできる領域は、フレーム幅によって制限されている。図３および図４から明らかなように、２つの上側の固定孔１０を備えたケーシングは、ねじを介してフレーム１２に固定されている。
【図面の簡単な説明】
【００２２】
【図１】しゃくり付き木製ドアにおける本発明によるドアクローザの平面図である。
【図２】図１に示した本発明によるドアクローザの側面図である。
【図３】フレームドアにおけるクローザの平面図である。
【図４】図３の側面図である。
【図５】従来技術のドアクローザの平面図である。
【図６】従来技術のドアクローザの側面図である
【符号の説明】
【００２３】
１  ケーシング、  ２  ドア、  ３  固定ねじ、  ４  軸、  ５  レバー、  ６  ガイドレール、  ７  壁またはフレーム、  ８，９  螺合フランジ、  １０  固定孔、  １１  長手方向中心軸線、  １２  フレーム、  １３  ガラスパネル、  １０１  ケーシング、  １０２  ドア、  １０３  固定ねじ、  １０５  レバー、  １０６  ガイドレール、  １０８，１０９  螺合フランジ、  １１０  固定孔、  １１１  長手方向中心軸線、  １１２  屈曲部
【図１】
2007527475.tif 000003
【図２】
2007527475.tif 000004
【図３】
2007527475.tif 000005
【図４】
2007527475.tif 000006
【図５】
2007527475.tif 000007
【図６】
2007527475.tif 000008
【国際調査報告】
2007527475.tif 000009
2007527475.tif 000010
2007527475.tif 000011
2007527475.tif 000012
2007527475.tif 000013
2007527475.tif 000014